(57)【要約】【課題】ラベル交換パス（ＬＳＰ）連結の具体的方法ならびに装置を提供する。【解決手段】ＬＳＰ（第１のラベル交換パスの終点ノードが第２のラベル交換パスの始点ノードに一致する）のシグナリングにおける明示ルートオブジェクトの末尾のサブオブジェクトをラベルサブオブジェクトとしてＬＳＰをシグナリングする。このとき、ラベル値を、第２のＬＳＰの始点ノードと、当該始点ノードの次ホップのノードとの間のラベルに一致させることにより、当該ラベルを介して第１のＬＳＰと第２のＬＳＰを連結する。【選択図】　　　図１
2004147177.tif 000002
【特許請求の範囲】
【請求項１】
第１のラベル交換パスの終点ノードが第２のラベル交換パスの始点ノードに一致する少なくとも２つのラベル交換パスを連結する情報通信ネットワークにおけるシグナリング方法であって、
ラベル交換パスのシグナリングにおける明示ルートオブジェクトの末尾のサブオブジェクトをラベルサブオブジェクトとして前記第１と第２のラベル交換パスをシグナリングすること、
を特徴とする情報通信ネットワークにおけるシグナリング方法。
【請求項２】
前記ラベルサブオブジェクトの直前のサブオブジェクトをアドレスサブオブジェクトとしたとき、
前記アドレスサブオブジェクトが前記第２のラベル交換パスにおける始点のノードアドレスに一致し、前記ラベルサブオブジェクトが前記第２のラベル交換パスの始点ノードと当該始点ノードの次ホップノード間のラベルに一致するときに、前記ラベルを介して前記第１と第２のラベル交換パスを連結すること、
を特徴とする請求項１に記載の情報通信ネットワークにおけるシグナリング方法。
【請求項３】
第１のラベル交換パスの終点ノードが第２のラベル交換パスの始点ノードに一致する少なくとも２つのラベル交換パスを連結する情報通信ネットワーク装置であって、
ラベル交換パスのシグナリングにおける明示ルートオブジェクトの末尾のサブオブジェクトをラベルサブオブジェクトとして前記第１と第２のラベル交換パスをシグナリングするパス制御手段、
を備えたことを特徴とする情報通信ネットワーク装置。
【発明の詳細な説明】
【０００１】
【発明の属する技術分野】
本発明は、情報通信ネットワークにおけるシグナリング方法および装置に関し、特に、ＭＰＬＳ（Ｍｕｌｔｉ　Ｐｒｏｔｏｃｏｌ　Ｌａｂｅｌ　Ｓｗｉｔｃｈｉｎｇ）、あるいはＧＭＰＬＳ（Ｇｅｎｅｒａｌｉｚｅｄ　ＭＰＬＳ）環境において用いられるラベル交換パスのシグナリング方法および装置に関する。
【０００２】
【従来の技術】
トラフィックエンジニアリングを考慮したＭＰＬＳ環境において、ＬＳＰ（Ｌａｂｅｌ　Ｓｗｉｔｃｈｉｎｇ　Ｐａｓｓ：ラベル交換パス）のシグナリングは順次制御モードで行なわれ、ラベルは、下流オンデマンドで割り当てられる。すなわち、ＬＳＰの設定をリクエストするメッセージは、入口（Ｉｎｇｒｅｓｓ）ノードから中継ノードを経由して出口（Ｅｇｒｅｓｓ）ノードへ逐次転送される。リクエストメッセージが出口ノードに到達すると、折り返しラベルをマッピングするメッセージが出口ノードから中継ノードを経由して入口ノードへ逐次転送され、このマッピングメッセージが入口ノードに到達することによってＬＳＰがセットアップされる。
ＬＳＰで使用されるラベルは、データトラフィックの流れからみて下流側のノードが、自ノードと自ノードの１つ手前のノード（ＰＨＯＰ）との間で使用されるラベルを割当て、マッピングメッセージでＰＨＯＰに通知する。
【０００３】
これに対して、ＧＭＰＬＳでは、双方向のＬＳＰにおけるシグナリングのサポート、ＬＳＰの迅速なセットアップ等の目的から、上流側のノードからラベルを制御する種々の仕組みが導入され、それらを用いると、例えば、データトラフィックからみて、下流側から、片道分のメッセージでＬＳＰのセットアップを行なうことも可能になる（非特許文献１参照）。
【０００４】
ところが、ＧＭＰＬＳのシグナリングに関する規定のよりどころとなっているインターネットドラフトによれば、明示的なラベル制御方法として、通常は経由する抽象ノードの列を指定するのに使われる明示ルートオブジェクト（ＥＲＯ：Ｅｘｐｌｉｃｉｔ　Ｒｏｕｔｅ　Ｏｂｊｅｃｔ）に、ラベルをサブオブジェクトとして導入することが述べられている。また、このＥＲＯサブオブジェクトは、２つのＬＳＰを連結する場合に用いるために導入されたものであるとの宣言もなされている（非特許文献２参照）。しかしながら、連結ＬＳＰの具体的な記述はない。
連結ＬＳＰは、「第１のＬＳＰの終点と第２のＬＳＰの始点とをつなぎ合わせるもので、データトラフィックの観点からは一連のＬＳＰであるが、シグナリングの観点からは連結点で終端されている」というＬＳＰの形態であり、ＬＳＰシグナリングの基本的な機能の一つとなることが期待される。
【０００５】
一方、ＬＳＰシグナリングのＥＲＯに、既知のＬＳＰそのものをサブオブジェクトとして用いることが提案されている（非特許文献３参照）。この方法によるシグナリングの一例について、図３を参照しながら説明する。
【０００６】
図３において、Ａ、Ｂ、Ｃ、Ｄ、Ｅは、ラベルスイッチルータ（ＬＳＲ：Ｌａｂｅｌ　Ｓｗｉｔｃｈ　Ｒｏｕｔｅｒ）であり、Ｌ１はラベルスイッチルータＡ−Ｂ−Ｃに設定されたＬＳＰ、Ｌ２は、ラベルスイッチルータＣ−Ｄ−Ｅに設定されたＬＳＰである。また、Ｌ１におけるシグナリングのＥＲＯ末尾のサブオブジェクトをＬ２に相当するＥＲＯサブオブジェクトとする。
この場合、既存のＭＰＬＳあるいはＧＭＰＬＳコントロールプレーンの規定に照らすと、Ｌ１が部分的にＬ２に入れ子（ネスティング構造）と解釈され、ＬＳＰの連結として処理することができない。従って、Ｌ１のトラフィックはＬ２に対して透過的に転送され、光ネットワークにおける３Ｒなどの、信号再生機能や、マルチキャストツリーの形成などに適用することができない。また、信号再生、マルチキャストツリーの形成等には、従来、メッセージ生成のためのプロトコル処理等の負荷が大きく、通信処理速度に悪影響を与えていた。
【０００７】
【非特許文献１】
松浦伸昭、大木英司、「ＧＭＰＬＳネットワークにおけるＬＳＰシグナリング方式の提案」、２００２年電子情報通信学会ソサイエティ大会ＳＢ−１１−４、ｐ．５９１−５９２
【非特許文献２】
ルー・バーガー（Ｌｏｕ　Ｂｅｒｇｅｒ）他、“ジェネラライズドＭＰＬＳ　−シグナリング・ファンクショナル・ディスクリプション（Ｇｅｎｅｒａｌｉｚｅｄ　ＭＰＬＳ　−Ｓｉｇｎａｌｉｎｇ　Ｆｕｎｃｔｉｏｎａｌ　Ｄｅｓｃｒｉｐｔｉｏｎ）”、ｄｒａｆｔ−ｉｅｔｆ−ｍｐｌｓ−ｇｅｎｅｒａｌｉｚｅｄ−ｓｉｇｎａｌｉｎｇ−０９．ｔｘｔ、インターネットドラフト、ｐ．２１−２２、［ｏｎｌｉｎｅ］、平成１４年８月２９日、インターネット・エンジニアリング・タスクフォース（Ｔｈｅ　Ｉｎｔｅｒｎｅｔ　Ｅｎｇｉｎｅｅｒｉｎｇ　Ｔａｓｋ　Ｆｏｒｃｅ：ＩＥＴＦ）、［平成１４年１０月２２日検索］、インターネット＜ＵＲＬ：ｈｔｔｐ：／／ｗｗｗ．ｉｅｔｆ．ｏｒｇ／ｉｎｔｅｒｎｅｔ−ｄｒａｆｔｓ／ｄｒａｆｔ−ｉｅｔｆ−ｍｐｌｓ−ｇｅｎｅｒａｌｉｚｅｄ−ｓｉｇｎａｌｉｎｇ−０９．ｔｘｔ＞
【非特許文献３】
ビジャヤナンド（Ｖｉｊａｙａｎａｎｄ　Ｃ）、“ＲＳＶＰ−ＴＥのためのＬＳＰサブオブジェクト（ＬＳＰ　Ｓｕｂｏｂｊｅｃｔ　ｆｏｒ　ＲＳＶＰ−ＴＥ）”、ｄｒａｆｔ−ｖｉｊａｙ−ｍｐｌｓ−ｒｓｖｐｔｅ−ｌｓｐｓｕｂｏｂｊｅｃｔ−００．ｔｘｔ、インターネットドラフト、ｐ．１−７、［ｏｎｌｉｎｅ］、平成１４年１０月１日、インターネット・エンジニアリング・タスクフォース（Ｔｈｅ　Ｉｎｔｅｒｎｅｔ　Ｅｎｇｉｎｅｅｒｉｎｇ　Ｔａｓｋ　Ｆｏｒｃｅ：ＩＥＴＦ）、［平成１４年１０月２２日検索］、インターネット＜ＵＲＬ：ｈｔｔｐ：／／ｗｗｗ．ｉｅｔｆ．ｏｒｇ／ｉｎｔｅｒｎｅｔ−ｄｒａｆｔｓ／ｄｒａｆｔ−ｖｉｊａｙ−ｍｐｌｓ−ｒｓｖｐｔｅ−ｌｓｐｓｕｂｏｂｊｅｃｔ−００．ｔｘｔ＞
【０００８】
【発明が解決しようとする課題】
上述したように、従来におけるＬＳＰのシグナリングでは、ＬＳＰ連結のための具体的方法が規定されておらず、その手段を持つことができなかった。
本発明は上記事情に鑑みてなされたものであり、既存のプロトコルの規定に矛盾することなくＬＳＰの連結を実現する、情報通信ネットワークにおけるシグナリング方法および装置を提供することを目的とする。
【０００９】
【課題を解決するための手段】
上記した課題を解決するために本発明は、第１のラベル交換パスの終点ノードが第２のラベル交換パスの始点ノードに一致する少なくとも２つのラベル交換パスを連結する情報通信ネットワークにおけるシグナリング方法であって、ラベル交換パスのシグナリングにおける明示ルートオブジェクトの末尾のサブオブジェクトをラベルサブオブジェクトとして前記第１と第２のラベル交換パスをシグナリングすること、を特徴とする。
【００１０】
また、本発明において、前記ラベルサブオブジェクトの直前のサブオブジェクトをアドレスサブオブジェクトとしたとき、前記アドレスサブオブジェクトが前記第２のラベル交換パスにおける始点のノードアドレスに一致し、前記ラベルサブオブジェクトが前記第２のラベル交換パスの始点ノードと当該始点ノードの次ホップノード間のラベルに一致するときに、前記ラベルを介して前記第１と第２のラベル交換パスを連結すること、を特徴とする。
【００１１】
上記した課題を解決するために本発明は、第１のラベル交換パスの終点ノードが第２のラベル交換パスの始点ノードに一致する少なくとも２つのラベル交換パスを連結する情報通信ネットワーク装置であって、ラベル交換パスのシグナリングにおける明示ルートオブジェクトの末尾のサブオブジェクトをラベルサブオブジェクトとして前記第１と第２のラベル交換パスをシグナリングするパス制御手段、を備えたことを特徴とする。
【００１２】
本発明によれば、それぞれのノードを構成するラベルスイッチルータに実装されたそれぞれのパス制御手段が、ラベル交換パスのシグナリングにおける明示ルートオブジェクトの末尾のサブオブジェクトをラベルサブオブジェクトとしてラベル交換パスをシグナリングする。
このとき、ラベル値を、第２のラベル交換パスの始点ノードと、当該始点ノードの次ホップノードとの間のラベル値に一致させ、当該ラベルを介して第１と第２のラベル交換パスを連結させることにより、既存のプロトコルに影響を与えることなく、超高速ネットワークにおける情報通信を実現することができる。
【００１３】
【発明の実施の形態】
図１は、本発明の情報通信ネットワークにおけるシグナリング方法を実現する単方向のラベル交換パス設定のための実施形態を示す図である。
図１において、Ａ〜Ｅは、それぞれのノードを構成するラベルスイッチルータ（ＬＳＲ）であり、各ＬＳＲは、ＭＰＬＳシグナリングプロトコル（ＣＲ−ＬＤＰあるいはＲＳＶＰ−ＴＥ）に従い、他のＬＳＲとの間でラベル情報を交換する。これによりパスが設定される。このとき、あるノードに宛てたパケットにどのラベルを付与するかは下流側のＬＳＲが決定し、上流側に通知することになっている。
【００１４】
それぞれのラベルスイッチルータＡ〜Ｅは、図示せぬデータ転送手段と、パス制御手段から成り、パス制御手段は、特徴的には、ＬＳＰのシグナリングにおけるＥＲＯ末尾のサブオブジェクトをラベルサブオブジェクトとしてＬＳＰをシグナリングする機能を持つ。以下に詳細を説明する。
【００１５】
ここでは、Ｌ２がラベルスイッチルータＣ−Ｄ−Ｅに設定されたラベル交換パス（ＬＳＰ）であり、Ｌ１がラベルスイッチルータＡ−Ｂ−Ｃに設定されたラベル交換パス（ＬＳＰ）である。ここでは、ラベルスイッチルータＣでＬ１とＬ２が連結されようとしている。
【００１６】
このとき、ラベルスイッチルータＣのパス制御手段は、ラベル交換パスＬ１を設定するシグナリングで、明示ルートオブジェクト（ＥＲＯ）の末尾に、ラベル交換パスＬ２でノードＣ（ラベルスイッチルータＣ）とノードＤ（ラベルスイッチルータＤ）との間に使われているラベル“１００”を、ラベルＥＲＯサブオブジェクトとして付加する。ラベルスイッチルータＣは、受け取ったメッセージにラベル“１００”が含まれているのに従い、自ノード内部のデータ転送手段のマッピングをこれに適応させる。
このことにより、Ｌ１のデータトラフィックは、ラベルスイッチルータＣとラベルスイッチルータＤとの間でラベル１００に基づいて処理される。従って、Ｌ１とＬ２のデータトラフィックは連続的に転送されることになる。すなわち、Ｌ１とＬ２は連結されたことになり、プロトコル処理の負荷を増すことなく超高速ネットワーク情報通信を実現することができる。
【００１７】
図２は、本発明の情報通信ネットワークにおけるシグナリング方法を実現する双方向のラベル交換パス設定のための実施形態を示す図である。なお、図２の情報通信ネットワークは、図１と同じ構成であり、同様にラベルスイッチルータＣでＬ１とＬ２が連結されようとしている。
双方向ＬＳＰの場合、下りのトラヒックと上りのトラヒックとのそれぞれにラベルが割り当てられている。そのため、ラベルスイッチルータＣのパス制御手段は、ラベル交換パスＬ１を設定するシグナリングで、ＥＲＯの末尾に、ラベル交換パスＬ２でノードＣ（ラベルスイッチルータＣ）とノードＤ（ラベルスイッチルータＤ）との間で下りのトラヒックに使われている下流ラベル及び上りのトラヒックに使われている上流ラベルを、ラベルＥＲＯサブオブジェクトとして付加する。すなわち、ラベルスイッチルータＣが通知するＥＲＯは、「アドレス（ノードＣのＩＰアドレス）−下流ラベル（“１００”）−上流ラベル（“２００”）」という構成になる。なお、「アドレス−下流ラベル−上流ラベル」という順番でもよい。ラベルスイッチルータＣは、受け取ったメッセージに下流ラベル“１００”、あるいは、上流ラベル“２００”が含まれているのに従い、自ノード内部のデータ転送手段のマッピングをこれに適応させる。
そして、ラベルスイッチルータＣは、Ｌ１からＬ２方向のデータトラフィックを受け取ると、ノードＣ（ラベルスイッチルータＣ）とノードＤ（ラベルスイッチルータＤ）との間の下流ラベル“１００”を付与して送出し、ラベルスイッチルータＤは、ラベルスイッチルータＣが設定した下流ラベル“１００”に従いラベルスイッチを行なう。また、ラベルスイッチルータＤは、Ｌ２からＬ１方向のデータトラフィックを受け取ると、ノードＣ（ラベルスイッチルータＣ）とノードＤ（ラベルスイッチルータＤ）との間の上流ラベル“２００”を付与して送出し、ラベルスイッチルータＣは、ラベルスイッチルータＤが設定した上流ラベル“２００”に従いラベルスイッチを行なう。
【００１８】
以上説明のように本発明は、第１のＬＳＰの終点ノードが第２のＬＳＰの始点ノードに一致する２つのＬＳＰにおける連結の具体的方法を規定したものであり、ＬＳＰのシグナリングにおける明示ルートオブジェクトの末尾のサブオブジェクトをラベルサブオブジェクトとしてＬＳＰをシグナリングする情報通信ネットワーク装置を提供するものである。このとき、ラベル値を、第２のＬＳＰの始点ノードと、当該始点ノードの次ホップノード間のラベルに一致させることにより、そのラベルを介して第１と第２のラベルを連結する。
なお、本発明は、定義済みシンボルを用いて情報通信を行なう全ての用途に適用が可能であり、具体的には、全光ネットワークにおける３Ｒのシグナリング、マルチキャストツリーのセットアップ等への応用が可能である。
【００１９】
【発明の効果】
以上説明のように本発明によれば、既存のプロトコルの規定に矛盾することなく、２つのＬＳＰの連結が可能になり、また、このとき、プロトコル処理の負荷を増すこともない。更に、３以上のＬＳＰの連結も可能であり、このことにより、プロトコル処理の負担軽減、超高速情報通信の実現に寄与することができる。
【図面の簡単な説明】
【図１】本発明の情報通信ネットワークにおけるシグナリング方法を実現する単方向のラベル交換パス設定のための実施形態を示す図である。
【図２】本発明の情報通信ネットワークにおけるシグナリング方法を実現する双方向のラベル交換パス設定のための実施形態を示す図である。
【図３】従来のラベル交換パス設定のための一例を示す図である。
【符号の説明】
Ａ（Ｂ、Ｃ、Ｄ、Ｅ）…ノード（ＬＳＲ）、Ｌ１…第１のラベル交換パス（ＬＳＰ）、Ｌ２…第２のラベル交換パス（ＬＳＰ）、ＥＲＯ…明示ルートオブジェクト、１００、２００…ラベル値
【図１】
2004147177.tif 000003
【図２】
2004147177.tif 000004
【図３】
2004147177.tif 000005